(57)【要約】  【課題】アイライナーやアイブロウ等の棒状化粧料を保持して芯筒先端の開口部から、棒状化粧料の芯材を出没自在とさせる棒状化粧料の容器に関し、芯材の不用意な折れ等を生じさせることがなく、しかも気密性を維持することのできるような棒状化粧料の容器を提供することを課題とする。  【解決手段】棒状に形成された化粧料の芯材を収容することのできる芯筒と、該芯筒に回動可能に嵌合される外筒と、前記芯材を保持する複数の爪片を有する芯材保持体とが容器本体に具備され、前記芯筒と外筒相互間の回動により前記芯材が前記芯筒の開口部から出没自在とされ、該芯筒の開口部を覆うように前記容器本体に蓋体が外嵌される棒状化粧料の容器において、前記芯材を構成する化粧料が、有機シリコーン樹脂と揮発性シリコーンとを含有成分として含み、前記容器本体と蓋体との嵌合部、及び該容器本体を構成する芯筒と外筒との嵌合部に、気密性保持手段が設けられていることを特徴とする。【選択図】図１
2008183344.tif 000002
【特許請求の範囲】
【請求項１】
棒状に形成された化粧料の芯材（８）を収容することのできる芯筒（３）と、該芯筒（３）に回動可能に嵌合される外筒（４）と、前記芯材（８）を保持する複数の爪片（１１）を有する芯材保持体（５）とが容器本体（１）に具備され、前記芯筒（３）と外筒（４）相互間の回動により前記芯材（８）が前記芯筒（３）の開口部（９）から出没自在とされ、該芯筒（３）の開口部（９）を覆うように前記容器本体（１）に蓋体（２）が外嵌される棒状化粧料の容器において、前記芯材（８）を構成する化粧料が、有機シリコーン樹脂と揮発性シリコーンとを含有成分として含み、前記容器本体（１）と蓋体（２）との嵌合部、及び該容器本体（１）を構成する芯筒（３）と外筒（４）との嵌合部に、気密性保持手段が設けられていることを特徴とする棒状化粧料の容器。
【請求項２】
気密性保持手段がＯリングである請求項１記載の棒状化粧料の容器。
【発明の詳細な説明】
【技術分野】
【０００１】
本発明は、アイライナーやアイブロウ等の棒状化粧料を保持して芯筒先端の開口部から、棒状化粧料の芯材を出没自在とさせる棒状化粧料の容器に関する。
【背景技術】
【０００２】
従来、この種のアイライナーやアイブロウ等の棒状化粧料の容器として、一般には、図５に示すような芯筒３ｃと、図６に示すような芯チャック１１ｃを有する芯保持体  ５ｃとを具備し、図７に示すように、前記芯保持体５ｃの芯チャック１１ｃで棒状化粧料の芯材８ｃが保持されたような構成のものが使用されている。
【０００３】
このような棒状化粧料の容器は、芯チャック１１ｃが円筒状に形成されたものであり、その芯チャック１１ｃを有する芯保持体５ｃが、芯筒３ｃに摺動自在に嵌装されたものである。しかし、この棒状化粧料の容器においては、その芯筒３ｃと芯保持体５ｃとの間に一定の間隙があり、棒状化粧料が比較的柔らかい素材のものである場合には、その棒状化粧料の芯材８ｃが不用意に動き、芯筒３ｃの内壁面にあたって芯材８ｃが折れるおそれがあるという問題があった。
【０００４】
そこで、このような芯材の不用意な折れ等を防止するために、たとえば下記特許文献１のような特許出願もなされている。すなわち、この特許文献１に記載された棒状化粧料の容器は、芯チャックに複数の爪片が形成されており、このような爪片で芯材が保持される構成とすることで、芯筒と芯保持体との間の間隙が狭くされ、それによって、芯材の不用意な折れ等が極力防止されることとされている。
【０００５】
これに対して、近年のアイライナーやアイブロウ等の棒状化粧料は、素材が柔らかいだけではなく、たとえば揮発性の成分が含まれる等、素材の構成成分も従来から変化してきている。従って、そのような棒状化粧料を収納する容器には、気密性を有していることも要求される。
【０００６】
しかしながら、上記特許文献１に記載された棒状化粧料の容器や、上記図５乃至図７で示される従来の棒状化粧料の容器には、気密性が維持されているわけではなく、これらの容器では、素材の構成成分が変化してきている近年のアイライナーやアイブロウ等の容器としての機能性が十分発揮できない場合もある。
【０００７】
【特許文献１】実開昭６０−３３９１９号公報
【発明の開示】
【発明が解決しようとする課題】
【０００８】
本発明は、このような問題点を解決するためになされたもので、芯材の不用意な折れ等を生じさせることがなく、しかも気密性を維持することのできるような棒状化粧料の容器を提供することを課題とする。
【課題を解決するための手段】
【０００９】
本発明は、このような課題を解決するためになされたもので、棒状に形成された化粧料の芯材を収容することのできる芯筒と、該芯筒に回動可能に嵌合される外筒と、前記芯材を保持する複数の爪片を有する芯材保持体とが容器本体に具備され、前記芯筒と外筒相互間の回動により前記芯材が前記芯筒の開口部から出没自在とされ、該芯筒の開口部を覆うように前記容器本体に蓋体が外嵌される棒状化粧料の容器において、前記芯材を構成する化粧料が、有機シリコーン樹脂と揮発性シリコーンとを含有成分として含み、前記容器本体と蓋体との嵌合部、及び該容器本体を構成する芯筒と外筒との嵌合部に、気密性保持手段が設けられていることを特徴とする棒状化粧料の容器を提供するものである。
【００１０】
気密性保持手段としては、たとえばＯリングのようなものが用いられる。
【発明の効果】
【００１１】
本発明は、上述のように、芯材を構成する化粧料が、有機シリコーン樹脂と揮発性シリコーンとを含有成分として含み、容器本体と蓋体との嵌合部、及び該容器本体を構成する芯筒と外筒との嵌合部に、気密性保持手段が設けられているものであるため、芯材を構成する化粧料が揮発性シリコーンという揮発性の含有成分を含むものであるにもかかわらず、容器の気密性を維持することができるという効果がある。
【００１２】
特に、本発明では、容器本体と蓋体との嵌合部と、芯筒と外筒との嵌合部との２箇所に気密性保持手段が設けられているため、容器本体の構成部材である芯筒と外筒間の気密性が維持されるだけでなく、容器本体と蓋体間の気密性が維持されるので、容器全体としての気密性が非常に良好になり、有機シリコーン樹脂と揮発性シリコーンとを含有成分として含む、アイライナー、アイブロウ等の棒状化粧料に適した容器を提供することができるという効果がある。
【００１３】
また、芯材保持体が、化粧料の芯材を保持する複数の爪片を有して構成されているので、芯材の不用意な折れ等を防止することができるという従来の利点を維持することができる。
【発明を実施するための最良の形態】
【００１４】
以下、本発明の実施形態について説明する。
【００１５】
本実施形態の棒状化粧料の容器は、図１乃至図４に示すように、容器本体１と、該容器本体１に外嵌合可能な蓋体２とで構成されている。さらに容器本体１は、芯筒３と、外筒４と、芯材保持体５と、螺旋体６と、ストッパー部材７とを具備して構成されている。
【００１６】
芯筒３は、上部の芯筒ボディ３ａと、外筒４への連結部分となる下部の連結部３ｂとからなる。この連結部３ｂは、外筒４内に、回動可能に嵌着されて連結される。また、芯筒ボディ３ａの上端部には、棒状化粧料の芯材８が出没自在となる開口部９が形成されている。芯材８の断面形状は、前記開口部９に挿入可能で、該開口部９と略同径の円形断面となっている。また芯筒３の内周面には、４本の摺動溝１０が、軸方向に延びて形成されている。これらの摺動溝１０内には、芯材保持体５の上端部に形成された爪片１１が挿入される。
【００１７】
本実施形態では、芯材８を構成する化粧料として、有機シリコーン樹脂と、揮発性シリコーンを含有するものが用いられる。化粧料の種類としては、たとえばアイライナーやアイブロウに使用することができる。
【００１８】
アイライナーに使用する場合、有機シリコーン樹脂としてたとえばトリメチルシロキシケイ酸、アクリレーツ・アルリル酸ステアリル・メタクリル酸ジメチコン共重合体、シクロメチコン等が用いられ、揮発性シリコーンとしてたとえばリンゴ酸ジイソステアリルが用いられる。この有機シリコーン樹脂や揮発性シリコーンの他に、ビスポリエチレングリコール、ポリエチレン、酸化鉄、酸化チタン等を適宜配合することが可能である。
【００１９】
またアイブロウに使用する場合、有機シリコーン樹脂としてたとえばシメチコン（ポリメチルシロキサン）、デカメチルシクロペンタシロキサン等が用いられ、揮発性シリコーンとしてたとえばトリメチルシロキシケイ酸が用いられる。この有機シリコーン樹脂や揮発性シリコーンの他に、飽和脂肪酸グリセリル、カルナウバロウ、マイクロクリスタリンワックス、パルミチン酸デキシストリン、ベンジルジメチルステアリルアンモニウムヘクトライト、ポリエチレンワックス、トリステアリン酸グリセリド、タルク、黒酸化鉄、ベンガラ等を適宜配合したような化粧料成分が用いられる。
【００２０】
外筒４は有底の筒状に形成されている。この外筒４の上部開口部側は、上述のように、芯筒３の連結部３ｂとの連結部分となっている。この外筒４の上部開口部側の内周面と、芯筒３の連結部３ｂの外周面との間には、Ｏリング１２が設けられる。より詳しくは、芯筒３の連結部３ｂの外周面に溝が形成され、その溝にＯリング１２が収納されて、該芯筒３の連結部３ｂの外周面と、外筒４の上端開口側の内周面との間でＯリング１２が圧接されることとなる。
【００２１】
また、外筒４の上部外周面と蓋体２の下部内周面との間にも、Ｏリング１３が設けられている。より詳しくは、外筒４の上部外周面に溝が形成され、その溝にＯリング１３が収納されて、該外筒４の上部外周面と、蓋体２の下部内周面との間で圧接されることとなる。
【００２２】
さらに、外筒４の中段の内部には、螺旋体６を載置する段部１４が設けられている。
この段部１４には、図示しないが、縦方向にリブが立設されている。また螺旋体６の外周面には、図示しないが、係合部が形成されており、その螺旋体６の係合部が段部１４に立設されたリブに係合する。これによって、外筒４を回動させることに伴って、螺旋体６も回動することとなる。螺旋体６は筒状の部材であり、その内周面には、図示しないが螺旋溝が形成されている。
【００２３】
芯材保持体５の保持体ボディ５ａの外周面には、多数の突起１５が等間隔に配置されるように形成されている。これら多数の突起１５が前記螺旋体６の螺旋溝に螺合状態で係合することとなる。すなわち、多数の突起１５は、雄ねじとして作用することとなる。この芯材保持体５の上端に、略９０度の間隔で上述のように４本の爪片１１が配置されている。
【００２４】
これらの突起１５と爪片１１は、芯材保持体５の軸方向の同一直線上に配置されている。すなわち、突起１５は、４片の爪片１１のそれぞれの下方で、４列をなしている。これら多数の突起１５は、螺旋体６と螺合しつつ該螺旋体６に対して上方に移動し、芯筒３の摺動溝１０に係合する。これによって、芯筒３の回動に伴って芯材保持体５も回動する。
【００２５】
芯材保持体５の下部には、保持体ボディ５ａに比べて窪むように形成された窪み部５ｂと、該窪み部５ｂよりも膨出して前記保持体ボディ５ａと略同幅に形成された膨出部５ｃが形成され、これら保持体ボディ５ａ、窪み部５ｂ、及び膨出部５ｃに適合するように、ストッパー部材７は、全体が筒状に形成されているとともに、上下部分に対して中央が窪んだ状態に形成されている。
【００２６】
外筒４の下部内周面には縦方向にリブ１６が形成されており、このリブ１６に前記ストッパー部材７の下端部が係止されて該ストッパー部材７が位置決めされている。
【００２７】
このような構成からなる棒状化粧料の容器は、芯材保持体５を下部側から螺旋体６内に挿入する。この挿入時には、芯材保持体５に形成された多数の突起１５は、螺旋体６の螺旋溝に順次係合して螺合状態となる。
【００２８】
次に、ストッパー部材７の下部を、芯材保持体５の保持体ボディ５ａ、窪み部５ｂ、膨出部５ｃに外嵌させることにより、ストッパー部材７を芯材保持体５の下部に装着する。これにより、芯材保持体５、螺旋体６、ストッパー部材７が一体化することとなる。
【００２９】
そして、該芯材保持体５の下部側を外筒４内に挿入し、ストッパー部材７の下端部を外筒４のリブ１６に係止させる。この場合、上述のように螺旋体６の係合部が外筒４の段部１４に立設されたリブに係合する。
【００３０】
その後、芯筒３の連結部３ｂを外筒４内に挿入して、芯筒３を外筒４に連結させる。この場合、芯筒３の内周面に形成された摺動溝１０に、芯材保持体５の上部の爪片１１が係合させながら、芯筒３を外筒４内に挿入していく。この場合、Ｏリング１２を芯筒３の連結部３ｂの外周面の溝に予め収納しておく。さらに、芯筒３の連結部３ｂの下端部が螺旋体６の上端部に当接し、芯筒３の芯筒ボディ３ａの下端部が外筒４の上端部に
当接するまで、芯筒３を外筒４内に挿入する。
【００３１】
これによって容器本体１の組み立てが完成する。この場合、図示しないが、芯筒３の連結部３ｂの外周面には突起が形成されているとともに、該突起に係合可能な凹部が外筒４の内周面に形成されており、その突起と凹部とが係合することによって、芯筒３の
外筒４からの不用意な離脱が防止されることとなる。
【００３２】
さらに、この状態において、Ｏリング１２は、芯筒３の連結部３ｂの外周面と、外筒４の内周面との間で圧接された状態となる。これによって、容器本体１を構成する芯筒３と外筒４間の気密性が維持されることとなる。
【００３３】
このようにして容器本体１が組み立てられた後、蓋体２を容器本体１の上部に外嵌する。より具体的には、芯筒３の芯筒ボディ３ａから外筒４の上部に跨がるように、蓋体２を容器本体１に外嵌する。これによって、容器の組み立てが完成する。
【００３４】
この場合、外筒４の上部外周面の溝部に予めＯリング１３を収納しておく。これによって、蓋体２が容器本体１の上部に外嵌されたときに、Ｏリング１３が容器本体１の外筒４の上部外周面と、蓋体２の内周面との間で圧接された状態となる。これによって、容器本体１と蓋体２間の気密性が維持されることとなる。
【００３５】
次に、上記のような構成からなる棒状化粧料の容器を使用する場合には、外筒４を固定して芯筒３を回動させると、外筒４に係合している螺旋体６に対して、芯筒３に係合している芯材保持体５が回動する。
【００３６】
これにより、螺旋体６の螺旋溝と、芯材保持体５の外周に形成された突起１５との螺合による作用で、芯材保持体５が上方に移動する。この場合、芯材保持体５の多数の突起１５は、螺旋体６から上方に順次抜け出ることとなり、抜け出た突起１５は、芯筒３内に形成されている摺動溝１０に係合して、芯材保持体５と芯筒３の回転止めの役割を果たす。この芯材保持体５の上方への移動に伴って、芯材保持体５に保持された棒状化粧料の芯材８は、図３に示すように、芯筒３上端の開口部９から繰り出されることとなる。
【００３７】
このように外筒４に対して芯筒３を回動し続けると、芯材保持体５の下端部に取り付けられたストッパー部材７の上端部が、螺旋体６の下端部と当接する。このとき、芯材
保持体５は、図３に示すように最上部に位置することとなる。
【００３８】
一方、外筒４に対して芯筒３を逆方向に回動させると、芯材保持体５は下方に移動する。そして、ストッパー部材７の下端部が外筒４のリブ１６に当接して係止されたときに、図２に示すように芯材保持体５は最下部に位置することとなる。
【００３９】
尚、上記実施形態では、芯材８を構成する化粧料として、上記のような成分からなるものを用いたが、芯材８を構成する化粧料の含有成分は上記実施形態に限定されるものではない。要は、有機シリコーン樹脂と揮発性シリコーンとが含有成分として含まれているものであればよい。
【００４０】
また、該実施形態では、４本の爪片１１を有する芯材保持体５を用いたが、芯材保持体５に形成される爪片１１の本数は該実施形態に限定されるものではなく、要は複数本形成されていればよいのである。
【００４１】
さらに、本発明は、アイライナー、アイブロウに適用することを主眼とするものではあるが、アイライナー、アイブロウ以外の棒状化粧料に本発明を適用することも可能である。
【００４２】
さらに、容器本体１を構成する芯筒３、外筒４、芯材保持体５、螺旋体６、ストッパー部材７等の各部の構成も上記実施形態に限定されるものではなく、本発明の意図する範囲内で任意に変更可能である。
【図面の簡単な説明】
【００４３】
【図１】一実施形態としての棒状化粧料容器の縦断面図。
【図２】蓋体を取り外した容器本体の縦断面図。
【図３】芯材を上方へ移動させた状態の縦断面図。
【図４】芯材を保持した芯材保持体と芯筒との嵌合状態を拡大して示す横断面図。
【図５】従来の容器の芯筒を示す概略断面図。
【図６】従来の容器の芯材保持体を示す概略断面図。
【図７】従来の容器の芯材を保持した芯材保持体と芯筒との嵌合状態を拡大して示す横断面図。
【符号の説明】
【００４４】
１…容器本体                    ２…蓋体
３…芯筒                        ４…外筒
５…芯保持体                  １２…Ｏリング
１３…Ｏリング
【図１】
2008183344.tif 000003
【図２】
2008183344.tif 000004
【図３】
2008183344.tif 000005
【図４】
2008183344.tif 000006
【図５】
2008183344.tif 000007
【図６】
2008183344.tif 000008
【図７】
2008183344.tif 000009